(57)【要約】【課題】補助薬注処理において、薬剤を適切なタイミングで供給することができる水処理システムを提供する。【解決手段】冷却塔１２０と、補給水ラインＬ１２０と、薬剤供給手段１３４と、水質検出手段１３３と、循環水ラインＬ１１０と、ブロー手段１３６及び１３８と、ブロー処理制御部と、ブロー処理の実行後にブロー処理の実行時間に比例した投入量の薬剤を循環水Ｗ２に供給させる比例薬注制御部と、前記比例薬注制御部による薬剤供給が許容待機時間を超過しても実行されない場合に、薬剤を予め設定された投入時間に亘って循環水Ｗ２に供給させる補助薬注制御部と、前記薬剤供給手段による薬剤供給の時間に関するデータを記憶する記憶部と、を備え、前記補助薬注制御部は、前記記憶部に記憶された前記薬剤供給手段による過去の直近ｎ回分の前記薬剤供給処理の実行間隔に基づいて算出した時間を前記許容待機時間として設定する。【選択図】図１
2014070744.tif 000002
【特許請求の範囲】
【請求項１】
補給水が供給されると共に、当該補給水を循環水として冷却し、冷却した循環水を被冷却装置へ供給する冷却塔と、
補給水を前記冷却塔へ供給する補給水ラインと、
補給水及び／又は循環水に薬剤を供給する薬剤供給処理を実行可能な薬剤供給手段と、
循環水の水質を検出する水質検出手段と、
循環水を前記冷却塔と前記被冷却装置との間で循環させる循環水ラインと、
補給水を前記冷却塔内に補給しながら、循環水の一部を前記冷却塔及び／又は前記循環水ラインから排出するブロー処理を実行可能なブロー手段と、
前記水質検出手段で検出された循環水の水質に応じて、前記ブロー手段においてブロー処理を実行させるブロー処理制御部と、
前記ブロー手段によるブロー処理の実行後に、ブロー処理中の補給水量又はブロー処理の実行時間に比例した投入量の薬剤が補給水及び／又は循環水に供給されるように前記薬剤供給手段において前記薬剤供給処理を実行させる比例薬注制御部と、
前記比例薬注制御部による前記薬剤供給処理が予め設定された許容待機時間を超過しても実行されない場合に、薬剤が予め設定された投入時間に亘って補給水及び／又は循環水に供給されるように前記薬剤供給手段において前記薬剤供給処理を実行させる補助薬注制御部と、
前記薬剤供給手段により実行された前記薬剤供給処理の時間に関するデータを記憶する記憶部と、を備え、
前記補助薬注制御部は、前記記憶部に記憶された前記薬剤供給手段による過去の直近ｎ回分の前記薬剤供給処理の実行間隔に基づいて算出した時間を前記許容待機時間として設定する、
水処理システム。
【請求項２】
前記補助薬注制御部は、前記記憶部に記憶された前記薬剤供給手段による過去の直近ｎ回分の前記薬剤供給処理の実行時間に基づいて算出した時間を前記投入時間として設定する、
請求項１に記載の水処理システム。
【請求項３】
前記補助薬注制御部は、前記薬剤供給手段による過去の直近ｎ回分の前記薬剤供給処理の時間に関するデータが前記記憶部に存在しない場合に、予め設定された既定値を使用する、
請求項１又は２に記載の水処理システム。
【発明の詳細な説明】
【技術分野】
【０００１】
本発明は、冷却塔と被冷却装置との間で循環水を循環させる水処理システムに関する。
【背景技術】
【０００２】
商業ビル、工業プラント等においては、空調機や冷凍機に組み込まれた熱交換器等の被冷却装置（冷却負荷装置）を冷却するために、冷却水が用いられる。冷却水は、その節約を図る観点から、冷却塔で冷却しながら循環して用いられる（以下、循環する冷却水を適宜に「循環水」ともいう）。水処理システムにおいて、循環水は、循環水ラインを介して、冷却塔と被冷却装置との間を循環する。
【０００３】
循環水は、冷却塔で冷却される際にその一部が蒸発する。そのため、循環水を継続的に循環させると、循環水の濃縮度が徐々に高くなり、水質が悪化する。そこで、循環水の水質を改善するために、外部から定期的に新鮮な水（補給水）を補給すると共に、濃縮度の高い循環水の一部を外部に排出して循環水を希釈する、いわゆるブロー処理が実行される。また、循環水又は補給水に、スケール防止剤や防食剤等の薬剤を供給する処理（以下、「薬注処理」ともいう）も実行される。
【０００４】
従来、供給した薬剤の無駄を少なくするために、ブロー処理中は薬注処理を行わず、ブロー処理の終了後に薬注処理を行う水処理システムが提案されている（特許文献１参照）。この水処理システムでは、ブロー処理の動作停止期間が所定時間よりも長くなった場合に、補助薬注処理が行われる。補助薬注処理とは、ブロー処理の動作停止期間が所定時間よりも長くなった場合に、予め設定された投入量の薬剤を循環水又は補給水に供給する処理である。
【先行技術文献】
【特許文献】
【０００５】
【特許文献１】特開２０１１−２４７４４７号公報
【発明の概要】
【発明が解決しようとする課題】
【０００６】
ところで、上述した水処理システムでは、補助薬注処理の実行間隔が一定であるため、循環水の水質に対して、薬剤を供給するタイミングが実質的にずれてしまう場合がある。すなわち、循環水の水質が悪化していないにも係わらず、通常の実行間隔で薬剤が供給されると、薬剤を供給するタイミングが実質的に早くなるため、薬剤が無駄に消費されて運転コストが高くなる。また、実際の循環水の水質が悪化しているにも係わらず、通常の実行間隔で薬剤が供給されると、薬剤を供給するタイミングが実質的に遅くなるため、薬剤が不足して水質が悪化することが考えられる。
【０００７】
従って、本発明は、補助薬注処理において、薬剤を適切なタイミングで供給することができる水処理システムを提供することを目的とする。
【課題を解決するための手段】
【０００８】
本発明は、補給水が供給されると共に、当該補給水を循環水として冷却し、冷却した循環水を被冷却装置へ供給する冷却塔と、補給水を前記冷却塔へ供給する補給水ラインと、補給水及び／又は循環水に薬剤を供給する薬剤供給処理を実行可能な薬剤供給手段と、循環水の水質を検出する水質検出手段と、循環水を前記冷却塔と前記被冷却装置との間で循環させる循環水ラインと、補給水を前記冷却塔内に補給しながら、循環水の一部を前記冷却塔及び／又は前記循環水ラインから排出するブロー処理を実行可能なブロー手段と、前記水質検出手段で検出された循環水の水質に応じて、前記ブロー手段においてブロー処理を実行させるブロー処理制御部と、前記ブロー手段によるブロー処理の実行後に、ブロー処理中の補給水量又はブロー処理の実行時間に比例した投入量の薬剤が補給水及び／又は循環水に供給されるように前記薬剤供給手段において前記薬剤供給処理を実行させる比例薬注制御部と、前記比例薬注制御部による前記薬剤供給処理が予め設定された許容待機時間を超過しても実行されない場合に、薬剤が予め設定された投入時間に亘って補給水及び／又は循環水に供給されるように前記薬剤供給手段において前記薬剤供給処理を実行させる補助薬注制御部と、前記薬剤供給手段により実行された前記薬剤供給処理の時間に関するデータを記憶する記憶部と、を備え、前記補助薬注制御部は、前記記憶部に記憶された前記薬剤供給手段による過去の直近ｎ回分の前記薬剤供給処理の実行間隔に基づいて算出した時間を前記許容待機時間として設定する、水処理システムに関する。
【０００９】
また、前記補助薬注制御部は、前記記憶部に記憶された前記薬剤供給手段による過去の直近ｎ回分の前記薬剤供給処理の実行時間に基づいて算出した時間を前記投入時間として設定することが好ましい。
【００１０】
また、前記補助薬注制御部は、前記薬剤供給手段による過去の直近ｎ回分の前記薬剤供給処理の時間に関するデータが前記記憶部に存在しない場合に、予め設定された既定値に基づいて時間を算出することが好ましい。
【発明の効果】
【００１１】
本発明によれば、補助薬注処理において、薬剤を適切なタイミングで供給することができる水処理システムを提供することができる。
【図面の簡単な説明】
【００１２】
【図１】実施形態の水処理システム１を示す概略構成図である。
【図２】実施形態の水処理システム１の制御に係る機能ブロック図である。
【図３】ブロー処理と薬注処理との関係を示すタイムチャートである。
【図４】制御部２００においてブロー処理の制御を実行する場合の処理手順を示すフローチャートである。
【図５】制御部２００において通常薬注処理の制御を実行する場合の処理手順を示すフローチャートである。
【図６】制御部２００において補助薬注処理の制御を実行する場合の処理手順を示すフローチャートである。
【図７】制御部２００において補助薬注処理の制御を実行する場合の処理手順を示すフローチャートである。
【発明を実施するための形態】
【００１３】
以下、図面を参照して、本発明の実施形態の水処理システム１の概略構成について説明する。図１は、本実施形態の水処理システム１を示す概略構成図である。図２は、水処理システム１の制御に係る機能ブロック図である。図３は、ブロー処理と薬注処理との関係を示すタイムチャートである。
【００１４】
図１に示すように、本実施形態の水処理システム１は、空調機や冷凍機に組み込まれた熱交換器等の被冷却装置１３１を冷却するために、循環水Ｗ２（冷却水）を循環させるシステムである。循環水Ｗ２は、その節約を図る観点から、冷却塔１２０で冷却しながら循環して用いられる。本実施形態における冷却塔１２０は、いわゆる開放式冷却塔である。
【００１５】
本実施形態の水処理システム１は、主な構成として、冷却塔１２０と、被冷却装置１３１と、水質検出手段としての電気伝導率センサ１３３と、薬剤供給手段としての薬剤供給装置１３４と、システム制御装置１００と、を備える。また、水処理システム１は、主なラインとして、循環水ラインＬ１１０と、補給水ラインＬ１２０と、を備える。なお、「ライン」とは、流路、経路、管路等の流体の流通が可能なラインの総称である。また、図１では、電気的な接続の経路を破線で示している。
【００１６】
冷却塔１２０は、被冷却装置１３１から回収された循環水Ｗ２を冷却する設備である。冷却塔１２０は、塔本体１２１と、貯留部１２２と、を備える。
【００１７】
塔本体１２１は、冷却塔１２０の外郭を形成する筐体である。塔本体１２１は、散水部、ファン、開口部、ルーバー等からなる循環水冷却部（不図示）を有する。循環水Ｗ２は、循環水冷却部により冷却され、貯留部１２２に落下する。塔本体１２１の下部には、貯留部１２２が設けられている。
【００１８】
貯留部１２２は、循環水冷却部で冷却された循環水Ｗ２を貯留する部位である。貯留部１２２は、塔本体１２１の下部に設けられている。貯留部１２２の底部には、循環水ラインＬ１１０の循環水供給ラインＬ１１１（後述）が接続されている。貯留部１２２に貯留された循環水Ｗ２は、循環水供給ラインＬ１１１を介して被冷却装置１３１へ供給される。なお、貯留部１２２には、給水栓１３７及び後述するブロー手段としての流入口１３８が設けられている。
【００１９】
循環水ラインＬ１１０は、冷却塔１２０と被冷却装置１３１との間で循環水Ｗ２を循環させるラインである。循環水ラインＬ１１０は、循環水供給ラインＬ１１１と、循環水回収ラインＬ１１２と、を有する。
【００２０】
循環水供給ラインＬ１１１は、冷却塔１２０の貯留部１２２と被冷却装置１３１との間を接続する。貯留部１２２に貯留された循環水Ｗ２は、循環水供給ラインＬ１１１を介して被冷却装置１３１に供給される。
【００２１】
循環水供給ラインＬ１１１の途中には、循環水ポンプ１３２が設けられている。循環水ポンプ１３２は、循環水ラインＬ１１０（循環水供給ラインＬ１１１、循環水回収ラインＬ１１２）の上流側から下流側へ向けて、循環水Ｗ２を送り出すことができる。循環水ポンプ１３２は、システム制御装置１００と電気的に接続されている。循環水ポンプ１３２の運転（駆動及び停止）は、システム制御装置１００から出力される運転信号により制御される。
【００２２】
循環水回収ラインＬ１１２は、被冷却装置１３１と冷却塔１２０との間を接続するラインである。被冷却装置１３１において熱交換により加温された循環水Ｗ２は、循環水回収ラインＬ１１２を介して冷却塔１２０の循環水冷却部（不図示）に回収される。
【００２３】
被冷却装置１３１は、循環水Ｗ２による冷却が必要な熱交換器等の各種装置である。被冷却装置１３１は、例えば、各種の化学プラントのターボ冷凍機や吸収冷凍機、建築物の空調用冷却機、食品工場の冷水製造機や真空冷却機等である。
【００２４】
被冷却装置１３１において、循環水流路の一方の端部には、循環水供給ラインＬ１１１の下流側の端部が接続されている。また、被冷却装置１３１において、循環水流路の他方の端部には、循環水回収ラインＬ１１２の上流側の端部が接続されている。
【００２５】
電気伝導率センサ１３３は、循環水Ｗ２の水質として、電気伝導率ＥＣを測定する装置である。電気伝導率センサ１３３は、接続部Ｊ１において循環水供給ラインＬ１１１に接続されている。接続部Ｊ１は、循環水ポンプ１３２と被冷却装置１３１との間に配置されている。電気伝導率センサ１３３は、システム制御装置１００と電気的に接続されている。電気伝導率センサ１３３で測定された電気伝導率ＥＣは、システム制御装置１００へ検出信号として送信される。電気伝導率センサ１３３は、所定の時間間隔（又はリアルタイム）で電気伝導率ＥＣを測定し、システム制御装置１００へ送信する。
【００２６】
薬剤供給装置１３４は、循環水Ｗ２へ薬剤としてのスケール防止剤、防食剤、及び殺菌剤を供給する薬注処理を実行可能な装置である。薬剤供給装置１３４は、接続部Ｊ２において循環水供給ラインＬ１１１に接続されている。接続部Ｊ２は、接続部Ｊ１と被冷却装置１３１との間に配置されている。
【００２７】
スケール防止剤は、水中でのスケールの成長、或いは配管表面等へのスケールの堆積を防止するために用いられる薬品である。防食剤は、主に配管系等における全面腐食、或いはピッチング等の部分腐食の発生を抑制するために用いられる薬品である。殺菌剤は、水中における微生物の繁殖を抑制するために用いられる薬品であり、スライムコントロール剤とも呼ばれる。本実施形態では、スケール防止剤、防食剤、及び殺菌剤を総称して「薬剤」という。
【００２８】
スケール防止剤、防食剤、及び殺菌剤は、それぞれの薬剤タンク及び薬剤供給ポンプ（不図示）から循環水供給ラインＬ１１１に供給される。薬剤供給ポンプは、各薬剤タンクに貯留された薬剤を同時に循環水供給ラインＬ１１１へ送り出す設備である。
【００２９】
本実施形態の薬剤供給ポンプは、電磁駆動ダイアフラム式の定量ポンプである。薬剤供給ポンプとして、電磁駆動ダイアフラム式の定量ポンプを用いた場合、ダイアフラムの弁体が往復運動することにより、薬剤が断続的に循環水Ｗ２に供給される。
【００３０】
薬剤供給ポンプは、１ストローク当たりの吐出量［ｍＬ／ストローク］を所定値に設定し、且つストローク数［ストローク／分］を増減することにより、薬剤の吐出流量［ｍＬ／分］を制御できる。ストローク数とは、単位時間当たりに弁体が往復運動する回数をいい、弁体の１往復が１ストロークに相当する。薬剤供給ポンプは、システム制御装置１００と電気的に接続されている。薬剤供給ポンプは、システム制御装置１００から駆動信号としてのパルス信号が１回出力される毎に、１ストロークに対応する動作としてダイアフラムが１回往復運動する。
【００３１】
なお、本実施形態では、一つの薬剤供給装置１３４からスケール防止剤、防食剤、及び殺菌剤を配合した複合薬剤を供給する例について説明するが、スケール防止剤及び防食剤と、殺菌剤とをそれぞれ個別の薬剤供給装置で供給してもよい。
【００３２】
また、冷却塔１２０には、補給水ラインＬ１２０が接続されている。補給水ラインＬ１２０は、補給水Ｗ１を冷却塔１２０の貯留部１２２へ補給するラインである。補給水ラインＬ１２０の上流側は、水道水や工業用水等の補給水の供給源（不図示）に接続された第１補給水ラインＬ１２１である。一方、補給水ラインＬ１２０の下流側は、分岐部Ｊ３において、第２補給水ラインＬ１２２及び第３補給水ラインＬ１２３に分岐している。分岐部Ｊ３は、補給水Ｗ１の供給源（不図示）と冷却塔１２０との間に配置されている。
【００３３】
第２補給水ラインＬ１２２の下流側の端部は、冷却塔１２０の塔本体１２１に接続されている。第２補給水ラインＬ１２２において、分岐部Ｊ３と冷却塔１２０との間には、補給水バルブ１３６が設けられている。
【００３４】
補給水バルブ１３６は、第２補給水ラインＬ１２２を開閉することにより、貯留部１２２に対して補給水Ｗ１を強制的に供給する給水設備である。補給水バルブ１３６は、システム制御装置１００と電気的に接続されている。補給水バルブ１３６における弁体の開閉は、システム制御装置１００からの駆動信号により制御される。
【００３５】
第３補給水ラインＬ１２３の下流側の端部は、冷却塔１２０の塔本体１２１に接続されている。第３補給水ラインＬ１２３の下流側の端部には、給水栓１３７が設けられている。給水栓１３７は、貯留部１２２に貯留される循環水Ｗ２の水位（すなわち、水量）を管理するボールタップ式の給水設備である。循環水Ｗ２の蒸発損失及び飛散損失により貯留部１２２の水位が低下すると、給水栓１３７のボールタップが作動し、第３補給水ラインＬ１２３を流通する補給水Ｗ１が貯留部１２２に補給される。
【００３６】
排水ラインＬ１３０は、貯留部１２２の内部に立設され、下方に延びている。排水ラインＬ１３０の上流側の端部は、循環水Ｗ２の流入口１３８を形成する。流入口１３８は、給水栓１３７の管理水位よりも上方に開口している。一方、排水ラインＬ１３０の下流側の端部は、貯留部１２２の外部に通じている。排水ラインＬ１３０は、後述するブロー処理において、補給水バルブ１３６を開放して補給水Ｗ１を強制的に供給した場合に、冷却塔１２０の貯留部１２２から溢れた循環水Ｗ２を、水処理システム１の系外に排出するラインである。
【００３７】
本実施形態において、補給水バルブ１３６及び流入口１３８は、補給水Ｗ１を冷却塔１２０に補給しながら、循環水Ｗ２の一部を冷却塔１２０から排出するブロー処理を実行可能なブロー手段を構成する。
【００３８】
次に、図２及び図３を参照して、本実施形態の水処理システム１の制御に係る機能について説明する。
【００３９】
システム制御装置１００は、本実施形態の水処理システム１における各部の動作を制御する。図２に示すように、システム制御装置１００は、例えば、循環水ポンプ１３２、電気伝導率センサ１３３、薬剤供給装置１３４及び補給水バルブ１３６に電気的に接続される。
【００４０】
また、システム制御装置１００は、水処理システム１の測定装置と電気的に接続され、これら測定装置から測定情報を受信する。例えば、システム制御装置１００は、電気伝導率センサ１３３と電気的に接続される。システム制御装置１００において、測定装置から受信した最新の測定情報は、適宜、メモリ３００に記憶される。
【００４１】
システム制御装置１００は、制御部２００と、メモリ３００と、を備える。制御部２００は、ブロー処理制御部２０１と、比例薬注制御部２０２と、補助薬注制御部２０３と、計時部２０４と、を有する。制御部２００におけるブロー処理制御部２０１、比例薬注制御部２０２、補助薬注制御部２０３、及び計時部２０４の機能は、ＣＰＵ及び内部メモリ含むマイクロプロセッサ（不図示）により実現される。
【００４２】
ブロー処理制御部２０１は、電気伝導率センサ１３３で検出された循環水Ｗ２の電気伝導率ＥＣが、予め設定された許容水質値としての上限閾値ＥＣｂ１以上となった場合に、補給水バルブ１３６を制御してブロー処理を実行させる。上限閾値ＥＣｂ１は、例えば、スケール防止剤及び防食剤の効果の持続性を担保できる濃縮倍数を考慮して決定される。
【００４３】
ブロー処理制御部２０１は、ブロー処理として、循環水Ｗ２の排水及び補給水Ｗ１の補給を同時に（又は連続して）実施する。具体的には、ブロー処理制御部２０１は、電気伝導率ＥＣ≧上限閾値ＥＣｂ１となった場合、すなわち循環水Ｗ２の水質が悪化した場合に、補給水バルブ１３６を開状態として、第２補給水ラインＬ１２２を通じて新鮮な補給水Ｗ１を貯留部１２２に強制的に補給する。補給水Ｗ１が補給されると、貯留部１２２の水位が上昇するため、流入口１３８から溢れた循環水Ｗ２が排水ラインＬ１３０を通じて外部に排出される。すなわち、ブロー処理が実行されると、濃縮の進んだ循環水Ｗ２の一部が補給水Ｗ１と入れ替わるため、循環水ラインＬ１１０における循環水Ｗ２の電気伝導率ＥＣが全体的に低下する。
【００４４】
そして、ブロー処理制御部２０１は、補給水バルブ１３６を開状態とした後、電気伝導率ＥＣ≦下限閾値ＥＣｂ２となった場合、すなわち循環水Ｗ２の水質が回復した場合に、補給水バルブ１３６を閉状態として、補給水Ｗ１の補給を停止させる。なお、当然ながら、ブロー処理の開始点である上限閾値ＥＣｂ１とブロー処理の終了点である下限閾値ＥＣｂ２との関係は、上限閾値ＥＣｂ１＞下限閾値ＥＣｂ２である。
【００４５】
また、ブロー処理制御部２０１は、計時部２０４において、ブロー処理の実行時間Ｔａを計時させると共に、ブロー処理の実行後に、計時された実行時間Ｔａをメモリ３００に記憶する。
【００４６】
比例薬注制御部２０２は、ブロー処理の実行後に、ブロー処理の実行時間Ｔａに比例した投入量の薬剤が循環水Ｗ２に供給されるように薬剤供給装置１３４において薬注処理を実行させる。比例薬注制御部２０２は、薬剤供給装置１３４において薬注処理を実行させるために、薬剤供給ポンプ（不図示）を駆動するためのパルス信号を薬剤供給装置１３４に出力する。計時部２０４では、このパルス信号の出力情報を利用して、薬注処理の実行時間を計時する。以下、ブロー処理の実行後に実行される薬注処理を「通常薬注処理」ともいう。
【００４７】
比例薬注制御部２０２は、ブロー処理の実行後に通常薬注処理を実行させる。言い換えると、比例薬注制御部２０２は、ブロー処理の実行中には通常薬注処理を実行させない。また、比例薬注制御部２０２は、通常薬注処理の実行中に次のブロー処理が実行された場合には、その通常薬注処理を中断させ、そのブロー処理の実行後に、中断させた通常薬注処理を再開させる。
【００４８】
比例薬注制御部２０２は、中断した通常薬注処理を再開させた際に、中断させた通常薬注処理において薬剤が循環水Ｗ２に供給されなかった時間と、次のブロー処理の実行時間Ｔａとを合計した時間に比例した量の薬剤が循環水Ｗ２に供給されるように薬剤供給装置１３４において通常薬注処理を実行させる。
【００４９】
ここで、通常薬注処理における薬剤の投入量について、図３を参照しながら説明する。図３に示すタイムチャートおいて、上段は、補給水バルブ１３６の開時間（ブロー時間）を示す。また、図３において、下段は、薬剤供給装置１３４（薬剤供給ポンプ）の運転時間（薬注時間）を示す。下段では、通常薬注処理及び補助薬注処理を示している。なお、図３では、それぞれの時間間隔を概念的な長さで示しており、実際の時間間隔とは対応していない。
【００５０】
図３に示すように、本実施形態の水処理システム１では、ブロー処理Ａ、Ｂ、Ｃ、…の実行後に、通常薬注処理ａ、ｂ、ｃ、…が実行される。
【００５１】
通常薬注処理においては、例えば、ブロー処理Ａに示すように、ブロー処理Ａの実行時間Ｔ１と同じ時間が通常薬注処理ａにおける薬剤の投入時間Ｔ１として設定される。そして、ブロー処理Ａの実行後の通常薬注処理ａにおいて、投入時間Ｔ１に比例した投入量の薬剤が循環水Ｗ２に供給される。他のブロー処理も同じである。
【００５２】
また、図３に示すように、例えば、通常薬注処理ｃを実行している間に、次のブロー処理Ｄが実行された場合において、比例薬注制御部２０２は、通常薬注処理ｃを中断させ、ブロー処理Ｄの実行後に、通常薬注処理ｃを再開させる。また、比例薬注制御部２０２は、通常薬注処理ｃに引き続いて、ブロー処理Ｄに対応する通常薬注処理ｄを実行する。
【００５３】
比例薬注制御部２０２は、通常薬注処理ｃを再開させると、中断する前の通常薬注処理ｃにおいて薬剤が循環水Ｗ２に供給されなかった時間（Ｔ３−ｔ３）と、ブロー処理Ｄの実行時間Ｔ４とを合計した時間（Ｔ３−ｔ３）＋Ｔ４に比例した量の薬剤が循環水Ｗ２に供給されるように薬剤供給装置１３４において通常薬注処理を実行させる。これにより、通常薬注処理ｃの実行中にブロー処理Ｄが実行された場合でも、ブロー処理Ｄの実行後に、速やかに必要量の薬剤を循環水Ｗ２に供給することができる。
【００５４】
次に、補助薬注制御部２０３について説明する。
補助薬注制御部２０３は、比例薬注制御部２０２による通常薬注処理が予め設定された許容待機時間Ｔｗを超過しても実行されない場合、すなわち計時部２０４（後述）の計時する滞留時間ＴＴが許容待機時間Ｔｗを超過した場合に、薬剤が予め設定された投入時間に亘って循環水Ｗ２に供給されるように、薬剤供給装置１３４において薬注処理を実行させる。
【００５５】
ここで、許容待機時間Ｔｗとは、薬注処理の実行後において、補助薬注処理を実行するか否かを判定する際の閾値となる時間である。補助薬注制御部２０３は、薬剤供給ポンプ（不図示）を駆動するためのパルス信号を薬剤供給装置１３４に出力して、薬注処理を実行させる。計時部２０４では、このパルス信号の出力情報を利用して、薬注処理の実行時間を計時する。
【００５６】
以下、ブロー処理の実行後において、許容待機時間Ｔｗを超過した場合に実行される薬注処理を「補助薬注処理」ともいう。また、以下の説明において、通常薬注処理又は補助薬注処理を、適宜に「薬注処理」と総称する。
【００５７】
次に、補助薬注処理における許容待機時間Ｔｗ及び投入時間Ｔｆについて、図３に示すタイムチャートを参照しながら説明する。
【００５８】
補助薬注制御部２０３は、メモリ３００に記憶された過去の直近３回分の薬注処理の実行間隔Ｚ（Ｚｉ、Ｚｉ＋１、Ｚｉ＋２）に基づいて、移動平均値を求める下記の式（１）により最新の許容待機時間Ｔｗを算出する。
Ｔｗ＝（Ｚｉ＋Ｚｉ＋１＋Ｚｉ＋２）／３      式（１）
但し、Ｚｉ（直近３回前の実行間隔：最古のデータ）、Ｚｉ＋１（直近２回前の実行間隔）、Ｚｉ＋２（直近１回前の実行間隔：最新のデータ）とする。
【００５９】
図３において、補助薬注制御部２０３による補助薬注処理αは、（Ｚ１＋Ｚ２＋Ｚ３）／３により算出された許容待機時間Ｔｗを経過した時点で実行される。補助薬注処理αが実行されると、算出済みの許容待機時間Ｔｗが、新たに直近１回前における最新の実行間隔Ｚ４としてメモリ３００に記憶される。また、このときに、実行間隔Ｚ１（直近３回前：最古のデータ）がメモリ３００から削除される。これにより、図３に示すように、補助薬注処理αの実行後における次の許容待機時間Ｔｗは、（Ｚ２＋Ｚ３＋Ｚ４）／３により算出される。そして、次回の補助薬注処理βが実行されると、算出済みの許容待機時間Ｔｗが、新たに直近１回前における最新の実行間隔Ｚ５としてメモリ３００に記憶される。
【００６０】
また、補助薬注制御部２０３は、メモリ３００に記憶された過去の直近３回分の薬注処理の実行時間Ｔ（Ｔｉ、Ｔｉ＋１、Ｔｉ＋２）に基づいて、移動平均値を求める下記の式（２）により薬剤の投入時間Ｔｆを算出する。
Ｔｆ＝（Ｔｉ＋Ｔｉ＋１＋Ｔｉ＋２）／３      式（２）
但し、Ｔｉ（直近３回前の実行時間：最古のデータ）、Ｔｉ＋１（直近２回前の実行時間）、Ｔｉ＋２（直近１回前の実行時間：最新のデータ）とする。
【００６１】
図３において、補助薬注制御部２０３による補助薬注処理αでは、（Ｔ２＋Ｔ３＋Ｔ４）／３により算出された投入時間Ｔ５（＝Ｔｆ）に亘って薬剤が循環水Ｗ２に供給される。補助薬注処理αが実行されると、算出済みの投入時間Ｔ５が、新たに直近１回前における最新のデータとしてメモリ３００に記憶される。また、このときに、投入時間Ｔ２（直近３回目：最古のデータ）がメモリ３００から削除される。これにより、図３に示すように、補助薬注処理αの次回に予定される補助薬注処理βの投入時間Ｔ６（＝Ｔｆ）は、（Ｔ３＋Ｔ４＋Ｔ５）／３により算出される。そして、次回の補助薬注処理βが実行されると、算出済みの投入時間Ｔ６が、新たに直近１回前における最新のデータとしてメモリ３００に記憶される。
【００６２】
また、図３に示すように、例えば、補助薬注処理βを実行している間に、ブロー処理Ｅが実行された場合、補助薬注制御部２０３は、補助薬注処理βを中断させる。一方、比例薬注制御部２０２は、ブロー処理Ｅの実行後に、通常薬注処理ｅを実行する。前記したように、通常薬注処理ｅにおける薬剤の投入時間Ｔ７は、ブロー処理Ｅの実行時間Ｔ７と同じ時間に設定される。
【００６３】
ここで、補助薬注制御部２０３は、中断する前の補助薬注処理βにおいて薬剤が循環水Ｗ２に供給されなかった時間（Ｔ６−ｔ５）に比例した量の薬剤については、薬注処理を実行しない。補助薬注処理は、循環水Ｗ２の長時間の滞留に伴う薬効の低下や喪失を補うものとして実行される。ブロー処理Ｅが実行されれば、その後の通常薬注処理ｅにより新規の薬剤が供給され、循環水Ｗ２中の薬剤が入れ替わる。そのため、ブロー処理Ｅの実行後においては、通常薬注処理ｅで必要となる投入時間Ｔ７を超える薬注処理は無駄となるため、実行しないようにしている。
【００６４】
なお、補助薬注制御部２０３は、薬剤供給装置１３４による過去の直近３回分の薬注処理の実行間隔Ｚ、及び薬注処理の実行時間Ｔがメモリ３００に存在しない場合には、メモリ３００に予め設定された既定値を許容待機時間Ｔｗ及び投入時間Ｔｆとして使用する。そのため、システムの運用開始直後においても、補助薬注処理を実行することができる。なお、規定値としては、季節的な冷却塔の負荷にもよるが、例えば、許容待機時間Ｔｗを６時間に、投入時間Ｔｆを１分に設定することができる。
【００６５】
再び、図２に戻って説明する。
計時部２０４は、通常薬注処理又は補助薬注処理の実行後からの経過時間を、滞留時間ＴＴとして計時する。計時部２０４は、通常薬注処理又は補助薬注処理の実行が終了すると同時に滞留時間ＴＴの計時をスタートさせ、通常薬注処理又は補助薬注処理の実行が開始されると同時に滞留時間ＴＴの計時をリセットする。
【００６６】
計時部２０４は、比例薬注制御部２０２又は補助薬注制御部２０３から出力されるパルス信号（薬剤供給ポンプを駆動するためのパルス信号）に基づいて、通常薬注処理又は補助薬注処理の実行後からの経過時間を計時する。すなわち、計時部２０４は、パルス信号が出力されなくなると滞留時間ＴＴの計時をスタートさせ、パルス信号が出力されると滞留時間ＴＴの計時をリセットする。
【００６７】
なお、薬剤供給ポンプ（不図示）として、ストローク数が１〜３６０ストローク／分の範囲で調節可能な電磁駆動ダイアフラム式の定量ポンプを用いた場合に、計時部２０４は、前回のパルス信号の出力がＯＦＦになってから６０秒を経過した後に計時を開始する。これは、上記ストローク数の範囲では、比例薬注制御部２０２又は補助薬注制御部２０３から出力されるパルス信号の間隔が６０〜０．１７秒となるため、パルス信号の出力がＯＦＦしてから６０秒を経過してもパルス信号の出力がＯＮにならなければ、間違いなく薬剤供給ポンプが停止していると判定できるからである。
【００６８】
また、計時部２０４は、ブロー処理の実行時間Ｔａ、及び通常薬注処理又は補助薬注処理の実行時間Ｔを計時する。計時部２０４は、通常薬注処理の実行がブロー処理により中断した場合には、中断している間の時間を計時する。更に、計時部２０４は、中断した通常薬注処理が再開された場合には、再開されてからの時間を計時する。
【００６９】
メモリ３００は、薬剤供給装置１３４による薬注処理の時間に関するデータを記憶する記憶装置である。以下、メモリ３００に記憶されるデータについて説明する。
【００７０】
メモリ３００は、薬剤供給装置１３４による過去の直近３回分の薬注処理の実行間隔Ｚ（Ｚｉ、Ｚｉ＋１、Ｚｉ＋２）、及びこれらのデータに基づいて算出された許容待機時間Ｔｗを記憶する。また、メモリ３００は、薬剤供給装置１３４による過去の直近３回分の薬注処理の実行時間Ｔ（Ｔｉ、Ｔｉ＋１、Ｔｉ＋２）、及びこれらのデータに基づいて算出された補助薬注処理の投入時間Ｔｆを記憶する。
【００７１】
メモリ３００に記憶される許容待機時間Ｔｗ及び投入時間Ｔｆは、上述したように、移動平均値を求める式により算出される。そして、補助薬注処理が実行されると、算出済みの許容待機時間Ｔｗ及び投入時間Ｔｆが、実行間隔Ｚ及び実行時間Ｔの最新データとしてメモリ３００に記憶される。
【００７２】
また、メモリ３００には、過去の直近３回分の薬注処理の実行間隔Ｚ及び実行時間Ｔが記憶されていない場合に用いられるデフォルト値として、予め設定された許容待機時間Ｔｗ及び実行時間Ｔｆに係る既定値が記憶される。
【００７３】
また、メモリ３００には、電気伝導率センサ１３３で測定された電気伝導率ＥＣ（更新値）、ブロー処理の開始点である上限閾値ＥＣｂ１（設定値）、及びブロー処理の終了点である下限閾値ＥＣｂ２（設定値）が記憶される。
【００７４】
次に、本実施形態の水処理システム１において、制御部２００により実行されるブロー処理、通常薬注処理、及び補助薬注処理の動作を、図４〜図７のフローチャートを参照しながら説明する。
【００７５】
まず、ブロー処理の制御について説明する。図４は、制御部２００においてブロー処理の制御を実行する場合の処理手順を示すフローチャートである。図４に示すフローチャートの制御は、メモリ３００に記憶された制御プログラムに基づいて、制御部２００のブロー処理制御部２０１により実行される。また、図４に示すフローチャートの処理は、水処理システム１の運転中において、繰り返し実行される。
【００７６】
図４に示すステップＳＴ１０１において、ブロー処理制御部２０１は、電気伝導率センサ１３３で測定された循環水Ｗ２の電気伝導率ＥＣ、及びブロー処理の開始点である上限閾値ＥＣｂ１をメモリ３００から取得する。
【００７７】
ステップＳＴ１０２において、ブロー処理制御部２０１は、電気伝導率ＥＣが上限閾値ＥＣｂ１以上か否かを判定する。このステップＳＴ１０２において、ブロー処理制御部２０１により、電気伝導率ＥＣ≧上限閾値ＥＣｂ１である（ＹＥＳ）と判定された場合には、循環水Ｗ２の濃縮度が高くブロー処理が必要と考えられるため、処理はステップＳＴ１０３へ移行する。また、ステップＳＴ１０２において、ブロー処理制御部２０１により、電気伝導率ＥＣ＜上限閾値ＥＣｂ１である（ＮＯ）と判定された場合には、循環水Ｗ２の濃縮度が低くブロー処理が不要と考えられるため、処理はステップＳＴ１０１へ戻る。
【００７８】
ステップＳＴ１０３（ステップＳＴ１０２：ＹＥＳ）において、ブロー処理制御部２０１は、補給水バルブ１３６を開状態として、ブロー処理を開始する。また、ブロー処理制御部２０１は、計時部２０４を起動して、ブロー処理の実行時間Ｔａの計時をスタートさせる。
【００７９】
ステップＳＴ１０３においてブロー処理を実行することにより、補給水Ｗ１が冷却塔１２０の貯留部１２２に強制的に補給される一方、貯留部１２２に滞留する循環水Ｗ２の一部が排水ラインＬ１３０から外部に排出されるため、循環水Ｗ２の電気伝導率ＥＣは徐々に低下する。
【００８０】
ステップＳＴ１０４において、ブロー処理制御部２０１は、電気伝導率センサ１３３で測定された循環水Ｗ２の電気伝導率ＥＣ、及びブロー処理の終了点である下限閾値ＥＣｂ２をメモリ３００から取得する。
【００８１】
ステップＳＴ１０５において、ブロー処理制御部２０１は、電気伝導率ＥＣが下限閾値ＥＣｂ２以下か否かを判定する。このステップＳＴ１０５において、ブロー処理制御部２０１により、電気伝導率ＥＣ≦下限閾値ＥＣｂ２である（ＹＥＳ）と判定された場合には、循環水Ｗ２の濃縮度が十分に低下したと考えられるため、処理はステップＳＴ１０６へ移行する。また、ステップＳＴ１０５において、ブロー処理制御部２０１により、電気伝導率ＥＣ＞下限閾値ＥＣｂ２である（ＮＯ）と判定された場合には、循環水Ｗ２の濃縮度が低下していないと考えられるため、処理はステップＳＴ１０４へ戻る。
【００８２】
ステップＳＴ１０６（ステップＳＴ１０５：ＹＥＳ）において、ブロー処理制御部２０１は、補給水バルブ１３６を閉状態として、ブロー処理を終了する。
【００８３】
ステップＳＴ１０７において、ブロー処理制御部２０１は、計時部２０４で計時されたブロー処理の実行時間Ｔａをメモリ３００に記憶させると共に、計時部２０４における実行時間Ｔａの計時をリセットする。これにより、本フローチャートの処理は終了する（ステップＳＴ１０１へリターンする）。
【００８４】
次に、通常薬注処理の制御について説明する。図５は、制御部２００において通常薬注処理の制御を実行する場合の処理手順を示すフローチャートである。図５に示すフローチャートの制御は、メモリ３００に記憶された制御プログラムに基づいて、制御部２００の比例薬注制御部２０２により実行される。また、図５に示すフローチャートの処理は、水処理システム１の運転中において、繰り返し実行される。
【００８５】
図５に示すステップＳＴ２０１において、比例薬注制御部２０２は、ブロー処理が開始（実行）されたか否かを判定する。このステップＳＴ２０１において、比例薬注制御部２０２により、ブロー処理が開始された（ＹＥＳ）と判定された場合に、処理はステップＳＴ２０２へ移行する。また、ステップＳＴ２０１において、比例薬注制御部２０２により、ブロー処理が開始されていない（ＮＯ）と判定された場合に、処理はステップＳＴ２０１へ戻る。
【００８６】
ステップＳＴ２０２（ステップＳＴ２０１：ＹＥＳ）において、比例薬注制御部２０２は、通常薬注処理の実行中か否かを判定する。このステップＳＴ２０２において、比例薬注制御部２０２により、通常薬注処理の実行中である（ＹＥＳ）と判定された場合に、処理はステップＳＴ２０３へ移行する。また、ステップＳＴ２０２において、比例薬注制御部２０２により、通常薬注処理の実行中ではない（ＮＯ）と判定された場合に、処理はステップＳＴ２０４へ移行する。
【００８７】
ステップＳＴ２０３（ステップＳＴ２０２：ＹＥＳ）において、比例薬注制御部２０２は、薬剤供給装置１３４による通常薬注処理を中断させる。また、比例薬注制御部２０２は、計時部２０４において計時された、通常薬注処理の開始から中断までの間の実行時間をメモリ３００に記憶する。なお、通常薬注処理の計時は、ステップＳＴ２０９（後述）の処理においてスタートする。
【００８８】
ステップＳＴ２０４（ステップＳＴ２０３：終了／ステップＳＴ２０２：ＮＯ）において、比例薬注制御部２０２は、ブロー処理が終了したか否かを判定する。このステップＳＴ２０４において、比例薬注制御部２０２により、ブロー処理が終了した（ＹＥＳ）と判定された場合に、処理はステップＳＴ２０５へ移行する。また、ステップＳＴ２０４において、比例薬注制御部２０２により、ブロー処理が終了していない（ＮＯ）と判定された場合に、処理はステップＳＴ２０４へ戻る。
【００８９】
ステップＳＴ２０５（ステップＳＴ２０４：ＹＥＳ）において、比例薬注制御部２０２は、通常薬注処理を中断しているか否かを判定する。このステップＳＴ２０５において、比例薬注制御部２０２により、通常薬注処理を中断している（ＹＥＳ）と判定された場合に、処理はステップＳＴ２０６へ移行する。また、ステップＳＴ２０５において、比例薬注制御部２０２により、通常薬注処理を中断していない（ＮＯ）と判定された場合に、処理はステップＳＴ２０８へ移行する。
【００９０】
ステップＳＴ２０６（ステップＳＴ２０５：ＹＥＳ）において、比例薬注制御部２０２は、中断していた通常薬注処理を再開させる。再開した通常薬注処理では、中断する前の通常薬注処理において薬剤が循環水Ｗ２に供給されなかった時間と、ステップＳＴ２０１で実行中と判定されたブロー処理の実行時間とを合計した時間に比例した量の薬剤が循環水Ｗ２に供給される。
【００９１】
なお、中断する前の通常薬注処理において薬剤が循環水Ｗ２に供給されなかった時間は、ステップＳＴ２０１で実行が通知されたブロー処理の実行時間から、通常薬注処理の開始から中断までの間の実行時間（ステップＳＴ２０３にてメモリ３００に記憶）を減算することにより算出できる。ステップＳＴ２０６の通常薬注処理が終了すると、処理はステップＳＴ２０７へ移行する。
【００９２】
ステップＳＴ２０７において、比例薬注制御部２０２は、計時部２０４で計時された通常薬注処理の実行時間（中断があった場合には、先のブロー処理の実行時間に対応する通常薬注処理の実行時間と、次のブロー処理の実行時間に対応する通常薬注処理の実行時間の各々）をメモリ３００に記憶させると共に、計時部２０４における通常薬注処理の実行時間の計時をリセットする。これにより、本フローチャートの処理は終了する（ステップＳＴ２０１へリターンする）。
【００９３】
一方、ステップＳＴ２０５（ＮＯ）から移行したステップＳＴ２０８において、比例薬注制御部２０２は、ステップＳＴ２０１で実行中と判定されたブロー処理の実行時間Ｔａをメモリ３００から取得する。
【００９４】
ステップＳＴ２０９において、比例薬注制御部２０２は、ステップＳＴ２０８で取得したブロー処理の実行時間Ｔａに比例した投入量の薬剤が循環水Ｗ２に供給されるように薬剤供給装置１３４により通常薬注処理を実行させる。また、比例薬注制御部２０２は、計時部２０４を起動して、通常薬注処理の実行時間の計時をスタートさせる。
【００９５】
ステップＳＴ２１０において、比例薬注制御部２０２は、ブロー処理が開始（実行）された否かを判定する。このステップＳＴ２１０において、比例薬注制御部２０２により、ブロー処理が開始された（ＹＥＳ）と判定された場合に、処理はステップＳＴ２０３へ移行する。また、ステップＳＴ２１０において、比例薬注制御部２０２により、ブロー処理が開始されていない（ＮＯ）と判定された場合に、処理はステップＳＴ２１１へ移行する。
【００９６】
ステップＳＴ２１１（ステップＳＴ２１０：ＮＯ）において、比例薬注制御部２０２は、薬剤供給装置１３４による通常薬注処理が終了したか否かを判定する。このステップＳＴ２１１において、比例薬注制御部２０２により、通常薬注処理が終了した（ＹＥＳ）と判定された場合に、処理はステップＳＴ２０７へ移行する。また、ステップＳＴ２１１において、比例薬注制御部２０２により、通常薬注処理が終了していない（ＮＯ）と判定された場合に、処理はステップＳＴ２１０へ戻る。
【００９７】
次に、補助薬注処理の制御について説明する。図６及び図７は、制御部２００において補助薬注処理の制御を実行する場合の処理手順を示すフローチャートである。図６及び図７に示すフローチャートの制御は、メモリ３００に記憶された制御プログラムに基づいて、制御部２００の補助薬注制御部２０３により実行される。また、図６及び図７に示すフローチャートの処理は、水処理システム１の運転中において、繰り返し実行される。
【００９８】
図６に示すステップＳＴ３０１において、補助薬注制御部２０３は、薬注処理（通常薬注処理又は補助薬注処理）が終了したか否かを判定する。このステップＳＴ３０１において、補助薬注制御部２０３により、薬注処理が終了した（ＹＥＳ）と判定された場合に、処理はステップＳＴ３０２へ移行する。また、ステップＳＴ３０１において、補助薬注制御部２０３により、薬注処理が終了していない（ＮＯ）と判定された場合に、処理はステップＳＴ３０１へ戻る。
【００９９】
ステップＳＴ３０２（ステップＳＴ３０１：ＹＥＳ）において、補助薬注制御部２０３は、計時部２０４を起動して、滞留時間ＴＴの計時をスタートさせる。滞留時間ＴＴは、薬注処理の実行後からの経過時間である。
【０１００】
ステップＳＴ３０３において、補助薬注制御部２０３は、計時部２０４で計時されている滞留時間ＴＴが許容待機時間Ｔｗを超過したか否かを判定する。補助薬注制御部２０３は、許容待機時間Ｔｗをメモリ３００から取得する。このステップＳＴ３０３において、補助薬注制御部２０３により、滞留時間ＴＴ＞許容待機時間Ｔｗである（ＹＥＳ）と判定された場合に、処理はステップＳＴ３０６へ移行する。また、ステップＳＴ３０３において、補助薬注制御部２０３により、滞留時間ＴＴ≦許容待機時間Ｔｗである（ＮＯ）と判定された場合に、処理はステップＳＴ３０４へ移行する。
【０１０１】
ステップＳＴ３０４（ステップＳＴ３０３：ＮＯ）において、補助薬注制御部２０３は、通常薬注処理が実行されたか否かを判定する。このステップＳＴ３０４において、補助薬注制御部２０３により、通常薬注処理が実行された（ＹＥＳ）と判定された場合に、処理はステップＳＴ３０５へ移行する。また、ステップＳＴ３０４において、補助薬注制御部２０３により、通常薬注処理が実行されていない（ＮＯ）と判定された場合に、処理はステップＳＴ３０３へ戻る。
【０１０２】
ステップＳＴ３０５（ステップＳＴ３０４：ＹＥＳ）において、補助薬注制御部２０３は、計時部２０４による滞留時間ＴＴの計時をリセットさせる。これにより、本フローチャートの処理は終了する（ステップＳＴ３０１へリターンする）。滞留時間ＴＴが許容待機時間Ｔｗに達する前に通常薬注処理が実行された場合には、補助薬注処理を実行しないためである。
【０１０３】
一方、ステップＳＴ３０６（ステップＳＴ３０３：ＹＥＳ）において、補助薬注制御部２０３は、補助薬注処理の投入時間Ｔｆをメモリ３００から取得する。
【０１０４】
ステップＳＴ３０７において、補助薬注制御部２０３は、ステップＳＴ３０６で取得した投入時間Ｔｆに比例した投入量の薬剤が循環水Ｗ２に供給されるように薬剤供給装置１３４により補助薬注処理を実行させる。また、補助薬注制御部２０３は、計時部２０４を起動して、補助薬注処理の実行時間の計時をスタートさせる。
【０１０５】
次に、図７に示すステップＳＴ３０８において、補助薬注制御部２０３は、ブロー処理が開始（実行）されたか否かを判定する。このステップＳＴ３０８において、補助薬注制御部２０３により、ブロー処理が開始された（ＹＥＳ）と判定された場合に、処理はステップＳＴ３０９へ移行する。また、ステップＳＴ３０８において、補助薬注制御部２０３により、ブロー処理が開始されていない（ＮＯ）と判定された場合に、処理はステップＳＴ３１４へ移行する。
【０１０６】
ステップＳＴ３０９（ステップＳＴ３０８：ＹＥＳ）において、補助薬注制御部２０３は、薬剤供給装置１３４による補助薬注処理を終了させる。なお、補助薬注処理の中断があった場合は、ステップＳＴ３０６で取得された投入時間Ｔｆをそのまま薬注処理の実行時間Ｔとしてメモリ３００に記憶する。
【０１０７】
ステップＳＴ３１０において、補助薬注制御部２０３は、ブロー処理が終了したか否かを判定する。このステップＳＴ３１０において、補助薬注制御部２０３により、ブロー処理が終了した（ＹＥＳ）と判定された場合に、処理はステップＳＴ３１１へ移行する。また、ステップＳＴ３１０において、補助薬注制御部２０３により、ブロー処理が終了していない（ＮＯ）と判定された場合に、処理はステップＳＴ３１０へ戻る。
【０１０８】
ステップＳＴ３１１（ステップＳＴ３１０：ＹＥＳ／ステップＳＴ３１５：ＹＥＳ）において、補助薬注制御部２０３は、過去の直近３回分の薬注処理の実行時間Ｔに基づいて薬剤の投入時間Ｔｆを算出し、メモリ３００に記憶する。
【０１０９】
ステップＳＴ３１２において、補助薬注制御部２０３は、過去の直近３回分の薬注処理の実行間隔Ｚに基づいて薬注処理の許容待機時間Ｔｗを算出し、メモリ３００に記憶する。これにより、本フローチャートの処理は終了する（図６のステップＳＴ３０５へ移行する）。
【０１１０】
ステップＳＴ３１３（ステップＳＴ３０８：ＮＯ）において、補助薬注制御部２０３は、補助薬注処理が終了したか否かを判定する。このステップＳＴ３１３において、補助薬注制御部２０３により、補助薬注処理が終了した（ＹＥＳ）と判定された場合に、処理はステップＳＴ３１１へ移行する。また、ステップＳＴ３１３において、補助薬注制御部２０３により、補助薬注処理が終了していない（ＮＯ）と判定された場合に、処理はステップＳＴ３０８へ戻る。
【０１１１】
上述した本実施形態の水処理システム１によれば、例えば、以下のような効果を奏する。
【０１１２】
本実施形態の水処理システム１は、過去の直近３回分の薬注処理の実行間隔Ｚに基づいて算出した時間を許容待機時間Ｔｗとして設定し、通常薬注処理が許容待機時間Ｔｗを超過しても実行されない場合に補助薬注処理を実行させる補助薬注制御部２０３を備える。
【０１１３】
水処理システム１において、薬注処理の実行間隔Ｚは、冷却塔の負荷に比例する。すなわち、薬注処理の実行間隔Ｚは、冷却塔の負荷が高くなれば短くなり、負荷が低くなれば長くなる。補助薬注制御部２０３は、過去の直近３回分の薬注処理の実行間隔に基づいて許容待機時間Ｔｗを算出する。そのため、水処理システム１では、冷却塔の負荷に見合った実行間隔Ｔで補助薬注処理が実行される。従って、本実施形態の水処理システム１は、補助薬注処理において、薬剤を適切なタイミングで循環水Ｗ２に供給することができる。
【０１１４】
また、補助薬注制御部２０３は、過去の直近３回分の薬注処理の実行時間Ｔに基づいて算出した時間を薬剤の投入時間Ｔｆとして設定する。薬注処理の実行時間Ｔは、補給水Ｗ１の水質に応じて変化する。すなわち、薬注処理の実行時間Ｔは、補給水Ｗ１の水質が悪化すれば長くなり、水質が回復すれば短くなる。補助薬注制御部２０３は、過去の直近３回分の薬注処理の実行時間Ｔに基づいて薬剤の投入時間Ｔｆを算出する。そのため、水処理システム１では、薬剤が補給水Ｗ１の水質に見合った投入時間Ｔｆに亘って循環水Ｗ２に供給される。従って、本実施形態の水処理システム１は、補助薬注処理において、適切な投入量の薬剤を循環水Ｗ２に供給することができる。
【０１１５】
また、補助薬注制御部２０３は、過去の直近３回分の薬注処理の実行間隔Ｚ、及び薬注処理の実行時間Ｔがメモリ３００に存在しない場合には、メモリ３００に予め設定された既定値を許容待機時間Ｔｗ及び投入時間Ｔｆとして使用する。そのため、水処理システム１は、システムの運転開始直後においても、補助薬注処理を実行することができる。
【０１１６】
以上、本発明の好適な実施形態について説明したが、本発明は上述した実施形態に限定されることなく、種々の形態で実施することができる。
【０１１７】
本実施形態では、薬剤を循環水供給ラインＬ１１１に供給する例について説明した。しかし、薬剤を循環水Ｗ２へ供給することができれば、薬剤を供給する位置はこの例に限定されない。例えば、薬剤を冷却塔１２０の散水部（不図示）、貯留部１２２又は循環水回収ラインＬ１１２に供給してもよい。また、薬剤を補給水Ｗ１に供給してもよいし、補給水Ｗ１及び循環水Ｗ２の両方に供給してもよい。
【０１１８】
本実施形態では、ブロー処理として、循環水Ｗ２の一部を冷却塔１２０から系外に排出する例について説明した。この例に限らず、ブロー処理として、循環水Ｗ２の一部を循環水ラインＬ１１０から系外に排出してもよい。また、ブロー処理として、循環水Ｗ２の一部を冷却塔１２０及び循環水ラインＬ１１０の両方から系外に排出してもよい。
【０１１９】
本実施形態では、通常薬注処理として、ブロー処理の実行後に、ブロー処理の実行時間Ｔａに比例した投入量の薬剤を循環水Ｗ２に供給させる例について説明した。これに限らず、通常薬注処理として、ブロー処理の実行後に、ブロー処理中の補給水量（補給水Ｗ１の積算流量）に比例した投入量の薬剤を循環水Ｗ２に供給させてもよい。その場合に、ブロー処理中の補給水量は、例えば、第１補給水ラインＬ１２１に流量センサを設けることにより計測することができる。また、排水ラインＬ１３０に流量センサを設け、ブロー処理中に排出された循環水Ｗ２を計測することにより、その積算流量をブロー処理中の補給水量と看做してもよい。
【０１２０】
本実施形態では、水質検出手段としての電気伝導率センサ１３３をする例について説明した。これに限らず、電気伝導率センサ１３３を循環水回収ラインＬ１１２に接続してもよく、或いは貯留部１２２内に配置してもよい。
【０１２１】
本実施形態では、補助薬注制御部２０３において、過去の直近３回分の薬注処理の実行間隔Ｚに基づいて許容待機時間Ｔｗを算出する例について説明した。これに限らず、許容待機時間Ｔｗは、少なくとも過去の直近２回分の薬注処理の実行間隔Ｚに基づいて算出されればよい。すなわち、過去の直近ｎ（ｎ≧２）回分の薬注処理の実行間隔Ｚに基づいて許容待機時間Ｔｗを算出すればよい。
【０１２２】
なお、移動平均値を算出する際の「ｎ」を、例えば５回（又はそれ以上）に設定した場合には、仮に直近１回目の薬注処理の実行間隔が延びても、算出される許容待機時間Ｔｗの増加が緩やかになるため、比較的早いタイミングで補助薬注処理が実行される。薬注処理の実行間隔が延びる原因の一つに、被冷却装置１３１における熱負荷の低下が挙げられる。この場合、循環水Ｗ２の濃縮度が低い状態が続くため、スケール防止剤や防食剤の消費は少なくなるが、循環水Ｗ２中の菌類は増殖するため、殺菌剤は消費される。そのため、移動平均値を算出する際の「ｎ」を５回（又はそれ以上）に設定することにより、菌類の繁殖を効果的に抑制することができる。
【０１２３】
本実施形態では、補助薬注制御部２０３において、過去の直近３回分の薬注処理の実行時間Ｔに基づいて薬剤の投入時間Ｔｆを算出する例について説明した。これに限らず、薬剤の投入時間Ｔｆは、少なくとも過去の直近２回分の薬注処理の実行時間Ｔに基づいて算出されればよい。すなわち、補助薬注制御部２０３において、過去の直近ｎ（ｎ≧２）回分の薬注処理の実行時間Ｔに基づいて薬剤の投入時間Ｔｆを算出すればよい。また、薬剤の投入時間Ｔｆを、予め設定された固定値としてもよい。
【０１２４】
なお、過去の直近ｎ回分の薬注処理の実行間隔Ｚに基づいて、移動平均により許容待機時間Ｔｗを算出する例に限らず、例えば、過去の直近ｎ回分のそれぞれの薬注処理の実行間隔Ｚに異なる重み付けを行いながら移動平均を算出する、いわゆる加重移動平均により許容待機時間Ｔｗを算出してもよい。過去の直近ｎ回分の薬注処理の実行時間Ｔに基づいて薬剤の投入時間Ｔｆを算出する例についても同じである。
【０１２５】
本実施形態では、薬剤供給装置１３４の薬剤供給ポンプ（不図示）として、電磁駆動ダイアフラム式の定量ポンプを用いる例について説明した。この例に限らず、薬剤供給ポンプとして、プランジャーポンプ、ベローズポンプ等の定量吐出ポンプを用いてもよい。
【０１２６】
本実施形態では、冷却塔１２０を開放式冷却塔として構成した例について示した。この例に限らず、冷却塔１２０を密閉式冷却塔として構成してもよい。
【符号の説明】
【０１２７】
１  水処理システム
１００  システム制御装置
１３２  循環水ポンプ
１３３  電気伝導率センサ（水質検出手段）
１３４  薬剤供給装置（薬剤供給手段）
１３６  補給水バルブ（ブロー手段）
１３８  流入口（ブロー手段）
２００  制御部
２０１  ブロー処理制御部
２０２  比例薬注制御部
２０３  補助薬注制御部
２０４  計時部
３００  メモリ
１２０  冷却塔
１３１  被冷却装置
Ｌ１１０  循環水ライン
Ｌ１２０  補給水ライン
Ｌ１３０  排水ライン
Ｗ１  補給水
Ｗ２  循環水
【図１】
2014070744.tif 000003
【図２】
2014070744.tif 000004
【図３】
2014070744.tif 000005
【図４】
2014070744.tif 000006
【図５】
2014070744.tif 000007
【図６】
2014070744.tif 000008
【図７】
2014070744.tif 000009